(57)【要約】【課題】ユーザが所望しない動画を記録しないことで、撮像装置の記録容量の浪費を防止する。【解決手段】録画指示時点から録画終了指示時点までの第１の期間の動画を記録する第１の動画記録手段と、前記録画指示時点よりも所定時間遡った時点から前記録画指示時点までの第２の期間の動画を記録する第２の動画記録手段と、前記第２の期間の動画を記録するか否かのユーザによる選択を検出する選択検出手段と、前記選択検出手段による検出結果に応じて、前記第１の動画記録手段により記録された動画と前記第２の動画記録手段により記録された動画とを繋ぎ合わせて記録する記録処理手段とを有することを特徴とする。【選択図】図４
2010130097.tif 000002
【特許請求の範囲】
【請求項１】
録画指示時点から録画終了指示時点までの第１の期間の動画を記録する第１の動画記録手段と、
前記録画指示時点よりも所定時間遡った時点から前記録画指示時点までの第２の期間の動画を記録する第２の動画記録手段と、
前記第２の期間の動画を記録するか否かのユーザによる選択を検出する選択検出手段と、
前記選択検出手段による検出結果に応じて、前記第１の動画記録手段により記録された動画と前記第２の動画記録手段により記録された動画とを繋ぎ合わせて記録する記録処理手段とを有することを特徴とする撮像装置。
【請求項２】
前記選択検出手段が、前記第２の期間の動画を記録しない選択を検出した場合、前記第２の動画記録手段により記録された動画を削除する動画削除手段を更に有することを特徴とする請求項１に記載の撮像装置。
【請求項３】
前記第１の動画記録手段による動画の記録が終了した後、前記第２の期間の動画を記録するか否かの選択画面を表示する表示処理手段を更に有することを特徴とする請求項１又は２に記載の撮像装置。
【請求項４】
ユーザによる録画指示を検出する録画指示検出手段を更に有し、
前記表示処理手段が、前記第２の期間の動画を記録するか否かの選択画面を表示しているときに、前記録画指示検出手段が、ユーザによる録画指示を検出した場合、
前記記録処理手段は、前記第１の動画記録手段により記録された動画と前記第２の動画記録手段により記録された動画とを繋ぎ合わせて記録することを特徴とする請求項３に記載の撮像装置。
【請求項５】
前記第２の期間の動画を記録している該撮像装置における撮影状態を判定する撮影状態判定手段を更に有し、
前記記録処理手段は、前記撮影状態判定手段による判定結果に応じて、前記第１の動画記録手段により記録された動画と前記第２の動画記録手段により記録された動画とを繋ぎ合わせて記録することを特徴とする請求項１乃至４の何れか１項に記載の撮像装置。
【請求項６】
前記撮影状態判定手段は、前記撮影状態として、露出評価値、フォーカス合焦値及びブレ検出量の少なくとも何れか一つに基づいて、前記第２の期間の動画を記録している該撮像装置における撮影状態を判定することを特徴とする請求項５に記載の撮像装置。
【請求項７】
前記撮影状態判定手段は、前記第２の期間の動画を記録している該撮像装置における撮影状態が、予め定められた基準に満たないと判定した場合、
前記表示処理手段は、前記第１の動画記録手段による動画の記録が終了した後、前記第２の期間の動画を記録するか否かの選択画面を表示することを特徴とする請求項５又は６に記載の撮像装置。
【請求項８】
録画指示時点から録画終了指示時点までの第１の期間の動画を記録する第１の動画記録ステップと、
前記録画指示時点から所定時間遡った時点から前記録画指示時点までの第２の期間の動画を記録する第２の動画記録ステップと、
前記第２の期間の動画を記録するか否かのユーザによる選択を検出する選択検出ステップと、
前記選択検出ステップによる検出結果に応じて、前記第１の動画記録ステップにより記録された動画と前記第２の動画記録ステップにより記録された動画とを繋ぎ合わせて記録する記録処理ステップとを有することを特徴とする撮像装置の制御方法。
【請求項９】
録画指示時点から録画終了指示時点までの第１の期間の動画を記録する第１の動画記録ステップと、
前記録画指示時点から所定時間遡った時点から前記録画指示時点までの第２の期間の動画を記録する第２の動画記録ステップと、
前記第２の期間の動画を記録するか否かのユーザによる選択を検出する選択検出ステップと、
前記選択検出ステップによる検出結果に応じて、前記第１の動画記録ステップにより記録された動画と前記第２の動画記録ステップにより記録された動画とを繋ぎ合わせて記録する記録処理ステップとをコンピュータに実行させるためのプログラム。
【発明の詳細な説明】
【技術分野】
【０００１】
本発明は、録画指示時点よりも所定時間遡った時点から録画指示時点までの期間の動画を記録する機能を有する撮像装置、その制御方法及びプログラムに関するものである。
【背景技術】
【０００２】
一般的に動画を記録することができる撮像装置は、ユーザが録画を指示した瞬間の画像から動画の記録を開始する。しかし、ユーザが録画を指示してから、実際に録画が開始されるまでにはタイムラグが存在するため、記録された動画には、ユーザが意図する瞬間の画像が記録されていない場合がある。したがって、ユーザが意図する瞬間の動画を記録するには常時、動画を記録し続ける必要があるが、それでは、すぐに撮像装置のバッテリー残量がなくなってしまう。
【０００３】
近年、例えば特許文献１に記載の撮像装置は、ユーザが録画を指示した時点よりも一定時間遡って、動画の記録を開始する機能（ここでは、プリＲＥＣ機能という）を有するものが提案されている。しかし、構図が定まっていない場合、フォーカスが合っていない場合、露出が適正でない場合等の動画や、手ブレやパンニング、チルト動作によりブレが発生してしまっている動画も記録されてしまう。このような動画は、撮像装置の記録容量を無駄に浪費してしまう。
【０００４】
一方、このような問題に対して、例えば特許文献２に記載の撮像装置は、撮影中に被写体が目的のポイントに来た時のみ録画を開始し、被写体が目的のポイントから離れた場合には、録画を停止するような録画制御を行うものが提案されている。このような撮像装置によれば、ユーザが意図する構図や被写体を、撮影チャンスを逃さずに、正確に記録することができる。また、ユーザの意図しない動画を記録しないので、記録容量の浪費を防止することができる。
【０００５】
また、例えば特許文献３に記載の撮像装置は、振動センサーを用いて撮像装置がユーザにより携帯されている状態か否かを判定し、その判定結果によって、録画動作を制御するものが提案されている。この撮像装置では、振動センサーの検出値に応じて録画動作を行うため、ユーザが撮像装置を携帯していると判定した場合、誤って録画ボタンを押下した場合であっても、ユーザの意図しない画像を記録しないので、記録容量の浪費を防止することができる。
【０００６】
【特許文献１】特開２００２−２３２８３４号公報
【特許文献２】特開２００６−０４１７２０号公報
【特許文献３】特開平０６−０７８２０４号公報
【発明の開示】
【発明が解決しようとする課題】
【０００７】
しかしながら、上述した特許文献２のような撮像装置は、撮影開始前に目的ポイントの設定をしなければならない。また、パンニングやチルト動作も目的ポイントの位置により制限されるため、広範囲にわたる撮影には、不向きである。また、被写体が目的のポイントに到達したか否かを判定して、録画開始制御を行なうため、被写体の動きによって録画中と録画待機とが繰り返され、動画が途切れ途切れとなってしまい、再生時に、ユーザにストレスを与えてしまう。
【０００８】
また、上述した特許文献３のような撮像装置は、誤った操作による誤記録は防止できるものの、ユーザが所望する録画開始よりも一定時間遡った時点からの動画を記録する場合における不要な動画の記録を防止することができない。
本発明は、上述したような問題点に鑑みてなされたものであって、録画指示時点よりも所定時間遡った時点から動画を記録することができる撮像装置において、ユーザの所望しない動画を記録しないことで、撮像装置の記録容量の浪費を防止することを目的とする。
【課題を解決するための手段】
【０００９】
本発明の撮像装置は、録画指示時点から録画終了指示時点までの第１の期間の動画を記録する第１の動画記録手段と、前記録画指示時点よりも所定時間遡った時点から前記録画指示時点までの第２の期間の動画を記録する第２の動画記録手段と、前記第２の期間の動画を記録するか否かのユーザによる選択を検出する選択検出手段と、前記選択検出手段による検出結果に応じて、前記第１の動画記録手段により記録された動画と前記第２の動画記録手段により記録された動画とを繋ぎ合わせて記録する記録処理手段とを有することを特徴とする。
また、本発明の撮像装置の制御方法は、録画指示時点から録画終了指示時点までの第１の期間の動画を記録する第１の動画記録ステップと、前記録画指示時点から所定時間遡った時点から前記録画指示時点までの第２の期間の動画を記録する第２の動画記録ステップと、前記第２の期間の動画を記録するか否かのユーザによる選択を検出する選択検出ステップと、前記選択検出ステップによる検出結果に応じて、前記第１の動画記録ステップにより記録された動画と前記第２の動画記録ステップにより記録された動画とを繋ぎ合わせて記録する記録処理ステップとを有することを特徴とする。
また、本発明は、録画指示時点から録画終了指示時点までの第１の期間の動画を記録する第１の動画記録ステップと、前記録画指示時点から所定時間遡った時点から前記録画指示時点までの第２の期間の動画を記録する第２の動画記録ステップと、前記第２の期間の動画を記録するか否かのユーザによる選択を検出する選択検出ステップと、前記選択検出ステップによる検出結果に応じて、前記第１の動画記録ステップにより記録された動画と前記第２の動画記録ステップにより記録された動画とを繋ぎ合わせて記録する記録処理ステップとをコンピュータに実行させるためのプログラムである。
【発明の効果】
【００１０】
本発明によれば、録画指示時点よりも所定時間遡った時点から動画を記録することができる撮像装置において、ユーザの所望しない動画を保存しないことで、撮像装置の記録容量の浪費を防止することができる。
【発明を実施するための最良の形態】
【００１１】
以下、本発明に係る実施形態について、図面を参照して、説明する。
（第１の実施形態）
まず、本実施形態に係る撮像装置１００の構成について図１を参照して説明する。
撮像装置１００は、被写体を撮影する撮像部を構成するレンズ１、入射光量を制限し固体撮像素子３に適正な光を入射するための絞り２、光を電荷に変換する固体撮像素子３を備えている。
また、撮像装置１００は、固体撮像素子３からの出力信号を電気信号に変換するためのＣＤＳ４、アナログ信号をデジタル信号に変換するＡ／Ｄ変換器５、固体撮像素子３及びＣＤＳ４を駆動するためのＴＧ１０を備えている。
【００１２】
また、撮像装置１００は、Ａ／Ｄ変換器５からの出力信号をＹ／Ｃ分離し、カメラ信号処理を施すためのカメラ信号処理回路６、カメラ信号処理回路６からの出力信号をビデオ信号に変換するためのビデオ信号処理回路１１を備えている。
また、撮像装置１００は、露出制御を行なうために輝度検波を行なう輝度検波部７、撮像装置１００全体を制御するＣＰＵ１４を備えている。ＣＰＵ１４は、例えば、輝度検波部７からの出力信号より、露出オーバーか否か等を判定する。
【００１３】
また、撮像装置１００は、ＣＰＵ１４が一時的にデータを保存するＣＰＵメモリ１５、ＣＰＵ１４が後述のフローチャートを実行するためのプログラムが格納された不揮発性メモリ２１、エンコード／デコード処理した動画を記憶するメモリ１２を備えている。
また、撮像装置１００は、動画を記録するメモリーカードやハードディスク等の記録媒体１３、撮像している動画を表示する表示部としてのＬＣＤ１６、撮像装置１００に接続される外部モニター１７を備えている。
【００１４】
また、撮像装置１００は、ユーザがＣＰＵ１４に対して録画指示をしたり録画終了指示をしたりするためのＲＥＣボタン１８を備えている。また、撮像装置１００は、ユーザがＣＰＵ１４に対して録画指示時点よりも所定時間遡った時点から録画指示時点までの動画を記録するか否かを設定できるプリＲＥＣ設定ボタン１９を備えている。
すなわち、本実施形態の撮像装置１００には、録画指示から録画終了指示までの動画のみを記録するモード（通常ＲＥＣモード）と、録画指示時点よりも所定時間遡った時点からの動画を記録するモード（プリＲＥＣモード）とを有している。ユーザは、プリＲＥＣ設定ボタン１９を操作して、通常ＲＥＣモード又はプリＲＥＣモードの何れかに設定することができる。
なお、以下では、録画指示時点から録画終了指示時点までの期間（第１の期間）の間、撮像装置１００が撮像する画像を本画像という。また、録画指示時点よりも所定時間遡った時点から録画指示時点までの期間（第２の期間）の間、撮像装置１００が撮像する画像をプリＲＥＣ画像という。
【００１５】
また、撮像装置１００は、プリＲＥＣモードが設定されている場合に、プリＲＥＣ画像を記録するか否か、より詳しくは、プリＲＥＣ画像を本画像に繋ぎ合わせて記録するか否かをユーザに選択させるためのプリＲＥＣ画像記録選択キー２０を備えている。
【００１６】
次に、本実施形態の撮像装置１００内における処理動作の概略について、図１を参照して説明する。まず、レンズ１を通った光信号は、絞り２を介して、固体撮像素子３に入力される。固体撮像素子３は、ＴＧ１０より出力されるタイミングパルスにより駆動され、入射された光信号を光電変換により電気信号に変換した後、ＣＤＳ４等に出力する。ＴＧ１０は、ＣＰＵ１４によって制御され、例えば、３Ｖ振幅の転送パルスを水平同期信号ＨＤに同期して、一定周期の信号を出力する。
【００１７】
また、固体撮像素子３の出力信号は、相関二重サンプリングを行うＣＤＳ４とＡ／Ｄ変換器５とを介して、カメラ信号処理回路６に入力される。カメラ信号処理回路６は、入力信号に対してＹ／Ｃ分離、映像信号処理、色信号処理及びガンマ補正を行い、画像信号を生成する。カメラ信号処理回路６にて生成された画像信号は、ビデオ信号処理回路１１に入力される。
【００１８】
ビデオ信号処理回路１１は、画像信号を映像信号に変換して、最適な処理を行なった後、ＬＣＤ１６に出力する。また、録画が指示された場合、ビデオ信号処理回路１１内部でエンコード／デコード処理された映像信号が、記録媒体１３に記録される。
一方、カメラ信号処理回路６においてＹ／Ｃ分離した後のＹ信号は、露出補正を行なうために、輝度検波部７に出力される。輝度検波部７は、Ｙ信号から輝度レベル検波値を算出し、ＣＰＵ１４に出力する。ＣＰＵ１４は、輝度検波部７の出力信号から露出補正値を算出し、算出した露出補正値から露出状態を判定した後、露出補正を行なう。
【００１９】
次に、本実施形態のビデオ信号処理回路１１の内部構成及び動作処理について、図２を参照して、説明する。ビデオ信号処理回路１１は、ビデオ信号処理部３０と、ＥＮＣ／ＤＥＣ部３１と、Ｄ／Ａ変換器３２と、表示付加部３３とを備えている。
ここで、カメラ信号処理回路６から出力された画像信号は、ビデオ信号処理部３０に入力される。ビデオ信号処理部３０は、入力された画像信号のノイズを除去するノイズリダクションや帯域制限をかけるＬＰＦを介して、エンコードによる符号化ノイズを増加させないようにする処理を行う。
【００２０】
ビデオ信号処理部３０から出力された映像信号は、表示付加部３３に入力される。表示付加部３３は、映像信号に撮影中であることを示す表示やバッテリー残量を示す表示を付加して、ＬＣＤ１６に出力する。また、撮像装置１００に外部モニター１７が接続されている場合、ビデオ信号処理部３０から出力された映像信号は、Ｄ／Ａ変換器３２に入力される。Ｄ／Ａ変換器３２は、入力信号であるデジタル信号をアナログ信号に変換した後、外部モニター１７に出力する。
一方、ビデオ信号処理部３０から出力された映像信号は、ＥＮＣ／ＤＥＣ部３１にも入力される。ＥＮＣ／ＤＥＣ部３１は、入力された映像信号をエンコード／デコード処理を行なった後、メモリ１２を介して記録媒体１３に出力する。
【００２１】
次に、プリＲＥＣモードが設定されている場合において、プリＲＥＣ画像を記録する動作について、図１及び図２を参照して、説明する。
まず、ユーザは、プリＲＥＣ設定ボタン１９を操作して、プリＲＥＣモードに設定する。すると、撮像装置１００では、プリＲＥＣ設定ボタン１９から、プリＲＥＣモードが設定されたことを示す選択制御信号が、ＣＰＵ１４に出力される。次に、ＣＰＵ１４は、プリＲＥＣ画像の記録を開始するため、ビデオ信号処理回路１１に制御信号を出力する。
【００２２】
ビデオ信号処理回路１１にＣＰＵ１４から出力された制御信号が入力されると、ビデオ信号処理回路１１内のＥＮＣ／ＤＥＣ部３１は、ビデオ信号処理部３０から入力されている映像信号をエンコード／デコード処理し、メモリ１２に出力する。ＥＮＣ／ＤＥＣ部３１は、撮像装置１００において予め設定された所定時間（仮記録時間）、例えば５秒間、入力されている映像信号をメモリ１２にバッファリングする。ここで、ＥＮＣ／ＤＥＣ部３１は、仮記録時間のみバッファリングするので、時間が経過する毎に、バッファリングしている映像信号を随時、更新していく。
【００２３】
次に、プリＲＥＣモードが設定されている場合において、録画動作について、図１及び図２を参照して説明する。
上述したように、プリＲＥＣモードでは、仮記録時間のプリＲＥＣ画像をメモリ１２に常時、更新してバッファリングしている。この状態において、ユーザがＲＥＣボタン１８を操作して、録画指示を行う。すると、撮像装置１００では、ＲＥＣボタン１８から録画指示を示す制御信号が、ＣＰＵ１４に出力される。次に、ＣＰＵ１４は、本画像の記録を開始するために、ビデオ信号処理回路１１に制御信号を出力する。
【００２４】
ビデオ信号処理回路１１にＣＰＵ１４から出力された制御信号が入力されると、ビデオ信号処理回路１１は、メモリ１２にバッファリングされているプリＲＥＣ画像を読み出し、記録媒体１３に仮記録する。続いて、ビデオ信号処理回路１１のＥＮＣ／ＤＥＣ部３１は、撮像装置１００において予め設定された時間、例えば１０秒間隔で、本画像をメモリ１２にバッファリングする。更に、ビデオ信号処理回路１１は、メモリ１２にバッファリングされている本画像を記録媒体１３に記録する。
【００２５】
次に、プリＲＥＣモードが設定されている場合において、録画終了動作について、図１及び図２を参照して説明する。
ビデオ信号処理回路１１が、本画像を記録している状態において、ユーザがＲＥＣボタン１８を再度操作して、録画終了指示を行う。すると、撮像装置１００では、ＲＥＣボタン１８からの制御信号が、ＣＰＵ１４に出力される。ＣＰＵ１４は、本画像の記録を終了するために、ビデオ信号処理回路１１に制御信号を出力する。
【００２６】
ビデオ信号処理回路１１にＣＰＵ１４から出力された制御信号が入力されると、ビデオ信号処理回路１１のＥＮＣ／ＤＥＣ部３１は、エンコード／デコード処理を終了し、録画を終了する。録画終了動作が完了した時点で、表示付加部３３は、録画開始時に仮記録したプリＲＥＣ画像を記録するか否かをユーザに選択させる選択画面を、ビデオ信号処理部３０からの映像信号に付加して、ＬＣＤ１６に表示する。ここで、プリＲＥＣ画像を記録するか否かを選択させる選択画面とは、例えば“プリＲＥＣ画像を記録しますか（ＹＥＳ／ＮＯ）？”等が表示された画面である。
【００２７】
そして、選択画面が表示されている状態で、ユーザがプリＲＥＣ画像記録選択キー２０を操作して、“ＹＥＳ”を選択した場合、ビデオ信号処理回路１１は、仮記録されたプリＲＥＣ画像と本画像とを繋ぎ合わせて、記録媒体１３に記録する。したがって、記録媒体１３には、録画指示時点よりも仮記録時間遡った時点から、録画終了指示時点までの期間の動画が記録される。
一方、選択画面が表示されている状態で、ユーザがプリＲＥＣ画像記録選択キー２０を操作して、“ＮＯ”を選択した場合、ビデオ信号処理回路１１は、仮記録されたプリＲＥＣ画像を消去する。したがって、記録媒体１３には、録画指示時点から録画終了指示時点までの本画像のみが記録される。
更に、選択画面が表示されている状態で、ユーザがＲＥＣボタン１８を操作して、再び録画指示を行った場合、ビデオ信号処理回路１１は、表示付加部３３により表示されている選択画面を消去する。同時に、ビデオ信号処理回路１１は、記録媒体１３に仮記録されたプリＲＥＣ画像と本画像とを繋ぎ合わせて、記録媒体１３に記録した後、次の録画動作を開始する。
【００２８】
次に、プリＲＥＣモードが設定されている場合において、表示画面の遷移の一例について、図３を参照して説明する。図３は、ＬＣＤ１６に表示される表示画面の一例を示す図である。
まず、ユーザが撮像装置１００の電源を投入することで、図３（ａ）に示すように、撮像装置１００は、録画待機状態になる。
次に、図３（ａ）に示す状態から、ユーザがプリＲＥＣモードに設定し、更にＲＥＣボタン１８を操作すると、撮像装置１００は、録画を開始する。すなわち、図３（ｂ）に示すように、撮像装置１００は、録画状態になる。また、図３（ｂ）に示すように、ＬＣＤ１６には、録画状態を示すアイコン３０１が表示される。
【００２９】
次に、図３（ｂ）に示す状態から、ユーザが再度ＲＥＣボタン１８を操作すると、図３（ｃ）に示すように、撮像装置１００は、録画待機状態となる。また、図３（ｃ）に示すように、ＬＣＤ１６には、プリＲＥＣ画像を記録するか否かの選択画面３０２を表示する。ここでは、選択画面３０２には、“プリＲＥＣ画像を記録しますか（ＹＥＳ／ＮＯ）？”が表示されている。
【００３０】
次に、図３（ｃ）に示す状態から、ユーザがプリＲＥＣ画像記録選択キー２０を操作して、プリＲＥＣ画像を記録する選択を行うと、図３（ｄ）に示すように、撮像装置１００は、選択画面を消去し、録画待機状態となる。なお、録画待機状態になった後、撮像装置１００では、再度、プリＲＥＣ画像のバッファリングを開始する。
【００３１】
次に、プリＲＥＣモードが設定されている場合において、撮像装置１００の録画動作処理について、図４のフローチャートを参照して、説明する。なお、図４に示すフローチャートは、ＣＰＵ１４が不揮発性メモリ２１に格納されたプログラムを実行することにより実現される。
まず、ステップＳ１０１において、撮像装置１００の電源が挿入されることで、ＣＰＵ１４は、ユーザによる録画指示を待機する。
次に、ステップＳ１０２において、ＣＰＵ１４は、ユーザによるプリＲＥＣモードの設定を検出する。
【００３２】
次に、ステップＳ１０３において、ビデオ信号処理回路１１は、プリＲＥＣ画像を予め設定された仮記録時間、メモリ１２にバッファリングする。ここで、仮記録時間として例えば、５秒間が設定されている。
次に、ステップＳ１０４において、ビデオ信号処理回路１１は、メモリ１２にバッファリングしているプリＲＥＣ画像を常時更新する。
【００３３】
次に、ステップＳ１０５において、ＣＰＵ１４は、ユーザによる録画指示、すなわちＲＥＣボタン１８の操作を検出する。この処理は、録画指示検出手段の一例に対応する。
次に、ステップＳ１０６において、ビデオ信号処理回路１１は、メモリ１２にバッファリングされているプリＲＥＣ画像を読み出し、記録媒体１３に仮記録する。この処理は、第２の動画記録手段の一例に対応する。
【００３４】
次に、ステップＳ１０７において、ビデオ信号処理回路１１は、本画像をメモリ１２にバッファリングすると共に、バッファリングされている本画像を記録媒体１３に記録する。この処理は、第１の動画記録手段の一例に対応する。このように、撮像装置１００では、プリＲＥＣ画像と本画像とを記録媒体１３に別々に記録する。
【００３５】
次に、ステップＳ１０８において、ＣＰＵ１４は、ユーザによる録画終了指示、すなわち再度ＲＥＣボタン１８の操作を検出する。ＣＰＵ１４が、録画終了指示を検出すると、ＥＮＣ／ＤＥＣ部３１は、エンコード／デコード処理を終了し、本画像の記録を終了する。ここで、ＣＰＵ１４は、録画待機状態に移行する。
【００３６】
次に、ステップＳ１０９において、表示付加部３３は、仮記録したプリＲＥＣ画像を記録するか否かをユーザに選択させるための選択画面をＬＣＤ１６に表示する。この処理は、表示処理手段の一例に対応する。
次に、ステップＳ１１０において、ＣＰＵ１４は、ユーザによるプリＲＥＣ画像記録選択キー２０の操作により、プリＲＥＣ画像を記録するか否かの選択を検出する。この処理は、選択検出手段の一例に対応する。
ここで、ＣＰＵ１４が、プリＲＥＣ画像を記録する選択を検出した場合、ステップＳ１１１に処理を進める。一方、ＣＰＵ１４が、プリＲＥＣ画像を記録する選択以外の操作を検出した場合、ステップＳ１１２に処理を進める。
【００３７】
ステップＳ１１１において、ビデオ信号処理回路１１は、記録媒体１３に仮記録したプリＲＥＣ画像と記録媒体１３に記録した本画像とを繋ぎ合わせて記録する。具体的には、ビデオ信号処理回路１１は、記録媒体１３に仮記録したプリＲＥＣ画像と記録媒体１３に記録した本画像とを、同一画像ファイルとして記録する。この処理は、記録処理手段の一例に対応する。
ここで、繋ぎ合わせて記録するとは、画像ファイルを再生したときに、プリＲＥＣ画像と本画像とが、連続して再生される状態に記録することをいう。
【００３８】
一方、ステップＳ１１２では、ＣＰＵ１４は、ユーザによるプリＲＥＣ画像記録選択キー２０の操作により、プリＲＥＣ画像を記録しない選択を検出したか否かを判定する。ここで、ＣＰＵ１４が、プリＲＥＣ画像を記録しない選択を検出した場合、ステップＳ１１３に処理を進める。一方、ＣＰＵ１４が、プリＲＥＣ画像を記録しない選択以外の操作を検出した場合、ステップＳ１１４に処理を進める。
【００３９】
ステップＳ１１３において、ビデオ信号処理回路１１は、記録媒体１３に仮記録したプリＲＥＣ画像を削除する。この処理は、動画削除手段の一例に対応する。また、ビデオ信号処理回路１１は、記録媒体１３に記録した本画像をそのまま、画像ファイルとして生成する。
このように、ステップＳ１１３では、ユーザがプリＲＥＣ画像の記録を所望しない場合に、プリＲＥＣ画像の記録をしない選択をすることで、仮記録したプリＲＥＣ画像を削除し、記録媒体１３に記録した本画像のみをそのまま残す。したがって、記録媒体の記録容量を無駄に浪費してしまうことが防止される。
【００４０】
一方、ステップＳ１１２において、プリＲＥＣ画像を記録するか否かの選択がされず、選択画面が表示されているときに、ユーザが再び録画指示、すなわちＲＥＣボタン１８を操作すると、ステップＳ１１４に処理を進める。
ステップＳ１１４では、ＣＰＵ１４は、ユーザによる録画指示、すなわちＲＥＣボタン１８の操作を検出する。
続いて、ステップＳ１１１では、上述したように、ビデオ信号処理回路１１が、記録媒体１３に仮記録したプリＲＥＣ画像と記録媒体１３に記録した本画像とを繋ぎ合わせて記録する。更に、ビデオ信号処理回路１１は、再び録画指示された後の本画像を記録媒体１３に記録していく。
【００４１】
このように、本実施形態によれば、プリＲＥＣモードが設定されている状態で、本画像の記録が行なわれた場合において、記録を終了した後、ユーザは、プリＲＥＣ画像を記録するか否かを任意に選択することができる。そして、ユーザによる選択の検出結果に応じて、プリＲＥＣ画像を記録する。したがって、ユーザの所望しないプリＲＥＣ画像の場合には、プリＲＥＣ画像は記録媒体等に記録されないので、記録媒体の記録容量の浪費を防止することができる。
また、ユーザによりプリＲＥＣ画像を記録するか否かの何れかの選択が行われない状態で、ＲＥＣボタンが選択されることで、自動的にプリＲＥＣ画像を記録するので、連続した動画の記録をすることができる。
【００４２】
（第２の実施形態）
本実施形態では、プリＲＥＣモードが設定されている状態において、プリＲＥＣ画像の記録をするか否かを、プリＲＥＣ画像をバッファリングしている撮像装置の撮影状態から判断するものである。
まず、本実施形態に係る撮像装置２００の構成について図５を参照して説明する。以下では、第１の実施形態と異なる部分についてのみ説明し、同一の部分については同一符号を付して、その説明を省略する。
撮像装置２００は、被写体撮影時の最適なフォーカス状態を判定するためのフォーカス検出部８、被写体撮影時のブレ量を検出するためのブレ検出部９を備えている。ＣＰＵ１４は、フォーカス検出部８からの出力信号より、フォーカスの合焦状態を判定する。また、ＣＰＵ１４は、ブレ検出部９からの出力信号より、ブレ量が最適かどうかを判定する。
【００４３】
次に、本実施形態の撮像装置２００のＣＰＵ１４の処理動作の概略について、図６を参照して説明する。図６は、本実施形態に係るＣＰＵ１４が実行する機能構成を示す図である。
図６に示すように、ＣＰＵ１４の機能構成として、露出評価算出部４０、露出比較部４６を備えている。露出評価算出部４０は、現在の露出状態として輝度検波部７が検出した出力信号に基づいて、露出評価値を算出する。なお、輝度検波部７は、プリＲＥＣモードが設定され、メモリ１２にプリＲＥＣ画像がバッファリングされた時点から露出状態を検出する。
露出比較部４６は、算出された露出評価値と予め設定された露出評価基準値４１とを比較して、現在の露出レベルを判定する。
【００４４】
また、ＣＰＵ１４の機能構成として、フォーカス合焦算出部４２、フォーカス比較部４７を備えている。フォーカス合焦算出部４２は、現在のフォーカス状態としてフォーカス検出部８が検出した出力信号に基づいて、フォーカス合焦値を算出する。
フォーカス比較部４７は、算出されたフォーカス合焦値と予め設定されたフォーカス合焦基準値４３とを比較して、現在の合焦レベルを判定する。
【００４５】
また、ＣＰＵ１４の機能構成として、ブレ検出量算出部４４、ブレ比較部４８を備えている。ブレ検出量算出部４４は、現在のブレ状態としてブレ検出部９が検出した出力信号に基づいて、ブレ検出量を算出する。ブレ比較部４８は、算出されたブレ検出量と予め設定されたブレ基準量４５とを比較して、現在のブレのレベルを判定する。
【００４６】
また、ＣＰＵ１４の機能構成として、画像判定部４９を備えている。露出比較部４６、フォーカス比較部４７及びブレ比較部４８による比較結果は、画像判定部４９に出力される。画像判定部４９は、各比較部による比較結果に基づいて、最適な撮影状態であると判定した場合、判定信号“ＬＯＷ”をビデオ信号処理回路１１に出力する。一方、画像判定部４９は、最適ではない撮影状態であると判定した場合、判定信号“ＨＩＧＨ”をビデオ信号処理回路１１に出力する。
【００４７】
ここで、最適な撮影状態とは、露出評価値が露出評価基準値以下であり、且つフォーカス合焦値がフォーカス合焦基準値以下であり、且つブレ検出量がブレ基準量以下であるという条件を満たす場合である。
一方、最適ではない撮影状態とは、露出評価値が露出評価基準値より大きい、フォーカス合焦値がフォーカス合焦基準値より大きい、ブレ検出量がブレ基準量より大きいという何れか一つの条件を満たす場合である。
【００４８】
ここで、プリＲＥＣモードが設定されている場合、常に、仮記録時間のプリＲＥＣ画像をメモリ１２に更新してバッファリングしている。このとき、画像判定部４９では、プリＲＥＣ画像を撮像している撮影状態を判定し、上述した比較を行い、判定信号“ＬＯＷ”又は判定信号“ＨＩＧＨ”を出力している。すなわち、画像判定部４９は、撮像装置１００が最適な撮影状態であるか否かの判定を行っている。
【００４９】
入力された判定信号が“ＬＯＷ”の場合は、ユーザによる録画指示により、ビデオ信号処理回路１１は、メモリ１２にバッファリングされているプリＲＥＣ画像を読み出し、記録媒体１３に記録する。続いて、ビデオ信号処理回路１１は、映像信号をエンコード／デコード処理し、メモリ１２に出力して、本画像の記録を開始する。また、ユーザによる録画終了指示により、ビデオ信号処理回路１１では、メモリ１２への出力を停止し、本画像の記録を終了する。記録を終了したときに、ビデオ信号処理回路１１は、プリＲＥＣ画像と本画像とを繋ぎ合わせて記録媒体１３に記録する。
【００５０】
一方、入力された判定信号が“ＨＩＧＨ”の場合、ビデオ信号処理回路１１は、バッファリングされているプリＲＥＣ画像を記録媒体１３に仮記録する。続いて、ユーザによる録画指示により、ビデオ信号処理回路１１は、映像信号をエンコード／デコード処理し、メモリ１２に出力して、本画像の記録を開始する。また、ユーザによる録画終了指示により、ビデオ信号処理回路１１では、メモリ１２への出力を停止し、本画像の記録を終了する。記録を終了したときに、表示付加部３３は、ユーザにプリＲＥＣ画像を記録するか否かを選択させる選択画面を、ビデオ信号処理部３０からの映像信号に付加して、ＬＣＤ１６に表示する。
【００５１】
そして、選択画面が表示されている状態で、ユーザがプリＲＥＣ画像記録選択キー２０を操作して、“ＹＥＳ”を選択した場合、ビデオ信号処理回路１１は、仮記録されたプリＲＥＣ画像と本画像をと繋ぎ合わせて記録媒体１３に記録する。一方、選択画面が表示されている状態で、ユーザがプリＲＥＣ画像記録選択キー２０を操作して、“ＮＯ”を選択した場合、ビデオ信号処理回路１１は、仮記録されたプリＲＥＣ画像を消去する。したがって、記録媒体１３には、録画指示以降の本画像のみが記録される。
更に、選択画面が表示されている状態で、ユーザがＲＥＣボタン１８を操作して、再び録画指示を行った場合、ビデオ信号処理回路１１は、表示付加部３３により表示されている選択画面を消去する。同時に、ビデオ信号処理回路１１は、記録媒体１３に仮記録されたプリＲＥＣ画像と本画像とを繋ぎ合わせて記録媒体１３に記録した後、次の録画動作を開始する。
【００５２】
次に、プリＲＥＣモードが設定されている状態において、撮像装置２００の録画動作処理について、図７のフローチャートを参照して、説明する。なお、図７に示すフローチャートは、ＣＰＵ１４が不揮発性メモリ２１に格納されたプログラムを実行することにより実現される。
まず、ステップＳ２０１において、撮像装置１００の電源が挿入されることで、ＣＰＵ１４は、録画指示を待機する。また、ＣＰＵ１４は、ユーザによるプリＲＥＣモードの設定を検出することで、プリＲＥＣ画像をメモリ１２に常時更新しながら、バッファリングする。
【００５３】
次に、ステップＳ２０２において、ブレ検出量算出部４４は、ブレ検出部９により検出されたブレ状態から、現在の撮影状態におけるブレ検出量を算出する。
次に、ステップＳ２０３において、ブレ比較部４８は、算出されたブレ検出量とブレ基準量とを比較する。画像判定部４９は、ブレ検出量がブレ検出基準量以下であるか否かを判定する。この処理は、撮影状態判定手段の一例に対応する。
ブレ検出量が、ブレ検出基準量以下の場合、ステップＳ２０４に処理を進める。一方、ブレ検出量が、ブレ検出基準量より大きい場合、ステップＳ２１３に処理を進める。
【００５４】
ステップＳ２０４では、フォーカス合焦算出部４２は、フォーカス検出部８により検出されたフォーカス状態から、現在の撮影状態におけるフォーカス合焦値を算出する。
次に、ステップＳ２０５において、フォーカス比較部４７は、算出されたフォーカス合焦値とフォーカス合焦基準値とを比較する。画像判定部４９は、フォーカス合焦値がフォーカス合焦基準値以下であるか否か、すなわちフォーカスが合っているか否かを判定する。この処理は、撮影状態判定手段の一例に対応する。
フォーカス合焦値が、フォーカス合焦基準値以下の場合、ステップＳ２０６に処理を進める。一方、フォーカス合焦値が、フォーカス合焦基準値より大きい場合、ステップＳ２１３に処理を進める。
【００５５】
ステップＳ２０６では、露出評価算出部４０は、輝度検波部７により検出された露出状態から、現在の撮影状態における露出評価値を算出する。
次に、ステップＳ２０７において、露出比較部４６は、算出された露出評価値と露出評価基準値とを比較する。画像判定部４９は、露出評価値が露出評価基準値以下であるか否か、すなわち適正な露出であるか否かを判定する。この処理は、撮影状態判定手段の一例に対応する。
露出評価値が、露出評価基準値以下の場合、ステップＳ２０８に処理を進める。一方、露出評価値が、露出評価基準値より大きい場合、ステップＳ２１３に処理を進める。
【００５６】
ステップＳ２０８では、ＣＰＵ１４は、ユーザによる録画指示、すなわちＲＥＣボタン１８の操作を検出する。
次に、ステップＳ２０９において、ビデオ信号処理回路１１は、メモリ１２にバッファリングされているプリＲＥＣ画像を読み出し、記録媒体１３に記録する。
続いて、ステップＳ２１０において、ビデオ信号処理回路１１は、本画像をメモリ１２にバッファリングすると共に、バッファリングされている本画像を記録媒体１３に記録する。
【００５７】
次に、ステップＳ２１１において、ＣＰＵ１４は、ユーザによる録画終了指示、すなわち再度ＲＥＣボタン１８の操作を検出する。ＣＰＵ１４が録画終了指示を検出すると、ＥＮＣ／ＤＥＣ部３１は、エンコード／デコード処理を終了し、本画像の記録を終了する。ここで、ＣＰＵ１４は、録画待機状態に移行する。
続いて、ステップＳ２１２において、ビデオ信号処理回路１１は、記録媒体１３に記録したプリＲＥＣ画像と記録媒体１３に記録した本画像とを繋ぎ合わせて記録する。具体的には、ビデオ信号処理回路１１は、記録したプリＲＥＣ画像と記録媒体１３に記録した本画像とを、同一画像ファイルとして記録する。
【００５８】
一方、ブレ検出量がブレ検出基準量より大きい場合、フォーカス合焦値がフォーカス合焦基準値より大きい場合及び露出評価値が露出評価基準値より大きい場合等、現在の撮影状態が、所定の基準に満たない場合、ステップＳ２１３に処理を進める。
ステップＳ２１３では、ビデオ信号処理回路１１は、メモリ１２にバッファリングされているプリＲＥＣ画像を読み出し、記録媒体１３に仮記録する。
【００５９】
次に、ステップＳ２１４において、ＣＰＵ１４は、ユーザによる録画指示、すなわちＲＥＣボタン１８の操作を検出する。
続いて、ステップＳ２１５において、ビデオ信号処理回路１１は、本画像をメモリ１２にバッファリングすると共に、バッファリングされている本画像を記録媒体１３に記録する。
【００６０】
次に、ステップＳ２１６において、ＣＰＵ１４は、ユーザによる録画終了指示、すなわち再度ＲＥＣボタン１８の操作を検出する。ＣＰＵ１４が録画終了指示を検出すると、ＥＮＣ／ＤＥＣ部３１は、エンコード／デコード処理を終了し、本画像の記録を停止する。ここで、ＣＰＵ１４は、録画待機状態に移行する。
次に、ステップＳ２１７において、表示付加部３３は、仮記録したプリＲＥＣ画像を記録するか否かをユーザに選択させるための選択画面をＬＣＤ１６に表示する。
【００６１】
次に、ステップＳ２１８において、ＣＰＵ１４は、ユーザによるプリＲＥＣ画像記録選択キー２０の操作により、プリＲＥＣ画像を記録するか否かの選択を検出する。
ここで、ＣＰＵ１４が、プリＲＥＣ画像を記録する選択を検出した場合、ステップＳ２１９に処理を進める。一方、ＣＰＵ１４が、プリＲＥＣ画像を記録しない選択を検出した場合、ステップＳ２２０に処理を進める。
【００６２】
ステップＳ２１９において、ビデオ信号処理回路１１は、記録媒体１３に仮記録したプリＲＥＣ画像と記録媒体１３に記録した本画像とを繋ぎ合わせて記録する。具体的には、ビデオ信号処理回路１１は、仮記録したプリＲＥＣ画像と記録媒体１３に記録した本画像とを、同一画像ファイルとして記録する。
【００６３】
一方、ステップＳ２２０では、ビデオ信号処理回路１１は、記録媒体１３に仮記録したプリＲＥＣ画像を削除する。また、ビデオ信号処理回路１１は、記録媒体１３に記録した本画像をそのまま、画像ファイルとして生成する。
なお、図７に示すフローチャートでは、省略しているが、ステップＳ２１８において、プリＲＥＣ画像の選択画面が表示されているときに、ＣＰＵ１４が、ユーザによるＲＥＣボタン１８の操作を検出した場合は、ステップＳ２１９と同様の処理を行う。すなわち、ビデオ信号処理回路１１は、記録媒体１３に仮記録したプリＲＥＣ画像と記録媒体１３に記録した本画像とを繋ぎ合わせて記録する。
【００６４】
このように、本実施形態によれば、撮像装置の撮影状態が最適であるか否かの判定結果に応じて、自動的に、プリＲＥＣ画像と本画像とを繋ぎ合わせて記録するようにした。したがって、撮影状態が最適な場合は、プリＲＥＣ画像と本画像とが自動的に繋ぎ合わされて記録されるので、記録するときの操作が煩雑になることがなく、操作性が向上する。
一方、撮影状態が最適でない場合、プリＲＥＣ画像を記録するか否かをユーザの操作により任意に選択できるようにした。したがって、ユーザは、プリＲＥＣ画像を記録する必要があるか否かを選択することで、不要なプリＲＥＣ画像は記録されないので、記録媒体の記録容量の浪費を防止することができる。
【００６５】
なお、第２の実施形態では、撮影状態が最適であるか否かの判定をするときに、ブレ検出量、フォーカス合焦値及び露出評価値に基づいて、判定する場合について説明したが、この場合に限られない。例えば、ブレ検出量、フォーカス合焦値及び露出評価値の少なくとも何れか一つに基づいて、判定してもよく、他のパラメータを追加してもよい。
【００６６】
上述した本発明の実施形態における撮像装置を構成する各手段、撮像装置の制御方法の各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００６７】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【図面の簡単な説明】
【００６８】
【図１】第１の実施形態に係る撮像装置の内部構成を示す図である。
【図２】ビデオ信号処理回路の内部構成を示す図である。
【図３】表示部に表示される表示画面の一例を示す図である。
【図４】第１の実施形態に係る撮像装置の動作処理を示すフローチャートである。
【図５】第２の実施形態に係る撮像装置の内部構成を示す図である。
【図６】第２の実施形態に係る撮像装置の機能構成を示す図である。
【図７】第２の実施形態に係る撮像装置の動作処理を示すフローチャートである。
【符号の説明】
【００６９】
１      レンズ
２      絞り
３      固体撮像素子
４      ＣＤＳ
５      Ａ／Ｄ変換器
６      カメラ信号処理回路
７      輝度検波部
８      フォーカス検出部
９      ブレ検出部
１０    ＴＧ
１１    ビデオ信号処理回路
１２    メモリ
１３    記録媒体
１４    ＣＰＵ
１５    ＣＰＵメモリ
１６    ＬＣＤ
１７    モニター
１８    ＲＥＣボタン
１９    プリＲＥＣ設定ボタン
２０    プリＲＥＣ画像記録選択キー
２１    不揮発性メモリ
３０    ビデオ信号処理部
３１    ＥＮＣ／ＤＥＣ部
３２    Ｄ／Ａ変換器
３３    表示付加部
４０    露出評価算出部
４２    フォーカス合焦算出部
４４    ブレ検出量算出部
４６    露出比較部
４７    フォーカス比較部
４８    ブレ比較部
４９    画像判定部
１００  撮像装置
２００  撮像装置
【図１】
2010130097.tif 000003
【図２】
2010130097.tif 000004
【図３】
2010130097.tif 000005
【図４】
2010130097.tif 000006
【図５】
2010130097.tif 000007
【図６】
2010130097.tif 000008
【図７】
2010130097.tif 000009